【事件の表示】
　特許第３００２８３３号「パチンコ機」の請求項１ないし２に係る特許に対する特許異議の申立てについて、次のとおり決定する。
【結　論】
　特許第３００２８３３号の請求項１ないし２に係る特許を維持する。
【理　由】
（１）本件発明
　本件特許第３００２８３３号の請求項１ないし請求項２に係る発明（平成２年８月２４日出願、平成１１年１１月１９日設定登録。）は、特許明細書の特許請求の範囲の請求項１ないし請求項２に記載された事項により特定される以下のとおりのものである。
「【請求項１】遊技盤に、権利入賞口及び普通入賞口を有する入賞装置と、遊技者に不利な第１状態と遊技者に有利な第２状態とに変換可能な大入賞装置と、始動入賞口を少なくとも備えたパチンコ機において、
上記遊技盤には、駆動源の作動により開放状態を創出して遊技者に利益を付与可能な普通電動役物と、図柄を可変表示する普通図柄表示装置と、該普通図柄表示装置の作動条件を創出可能な普通図柄始動スイッチが臨む特定入賞手段を配設し、電気的制御手段により、上記大入賞装置と普通電動役物と普通図柄表示装置と特定入賞手段を相互に関連付け、上記電気的制御手段は特定入賞手段への入賞又は通過を記憶する入賞記憶加算制御手段を備え、該入賞記憶加算制御手段は、少なくとも上記普通電動役物の開放状態中に機能されることを特徴とするパチンコ機。
【請求項２】上記普通電動役物に入賞した遊技球が上記入賞装置に導かれて上記権利入賞口へ入賞することにより権利状態となり、この権利状態中に上記始動入賞口へ入賞することにより上記大入賞装置を開放するようにした請求項１に記載のパチンコ機。」
　
（２）申立ての理由の概要
　特許異議申立人細江裕実は、本件特許の請求項１ないし請求項２に係る発明(前者)は、その出願の日前の特許出願であって、その出願後に出願公開された特願平２−２２０４５３号の願書に最初に添付した明細書又は図面（特開平４−１５２９６０号公報（甲第１号証））に記載された発明（後者）と同一であり、両者の発明者が同一でなく、本件の出願の時に両者の出願人が同一でないから、請求項１ないし２に係る発明についての特許は、特許法第２９条の２第１項の規定に違反してされたものであり、特許法第１１３条第２号の規定により取り消されるべきものである旨主張している。
　
（３）甲第１号証記載の発明
　特願平２−２２０４５３号の願書に最初に添付した明細書又は図面（特開平４−１５２９６０号公報（甲第１号証）、以下「先願明細書」という。）には、
　「実施例に係る特別装置３０が適用される弾球遊技機の一例としてパチンコ遊技機を例示する。」（公報第３頁左上欄第４行〜第６行）、
　「この特別装置３０の下方には、権利発生遊技状態となったときで後述する始動通過領域としての始動入賞口１１に打玉が入賞したことに基づいて作動される可変入賞球装置４が設けられている。可変入賞球装置４は、前記遊技盤１に取り付けられる取付基板５に設けられており、その取付基板５に開設された長方形状の入賞領域６を開閉する開閉扉７（アタッカーと表現する場合もある）によって構成されている。開閉扉７は、遊技盤１の裏面に設けられるアタッカーソレノイド８によって開閉駆動される。」（公報第３頁左上欄第１１行〜右上欄第２行）、
　「入賞球装置３２に受け入れられた打玉は、その下方に設けられる振分け部材３６に導かれる。」（公報第５頁右下欄第１行〜第３行）、
　「振分け部材３６の下方には、３つに区画された通過領域が形成されている。具体的には、中央に特定入賞玉検出器３９を臨ませた特別通過領域３８が設けられ、左右両側に通常通過領域４０ａ，４０ｂが設けられている。」（公報第５頁右下欄第９行〜第１３行）、
　「入賞球装置３２は、一対の開閉翼片３３ａ，３３ｂが開閉するもので、いわゆるチューリップ式入賞口とされている。ただし、通常の打玉の入賞によって機械的に開閉駆動されるチューリップ式入賞口と異なり、遊技盤１の裏面に設けられるチューリップソレノイド３４によって開閉制御されるものである。具体的には、後述する可変表示器４２ａ，４２ｂの表示結果が予め定めた表示結果と一致したときに、所定時間（後述するように大当りのときには、６秒、中当りのときには、３秒）チューリップソレノイド３４を励磁して開閉翼片３３ａ，３３ｂを開成して打玉が入賞し易い状態する。」（公報第５頁右上欄第１行〜第１３行）、
　「通過口１５を通過する打玉によって始動通過玉検出器１６が作動したときには、後述する可変表示装置としての可変表示器４２ａ，４２ｂが可変表示を開始し、一定時間（例えば、５秒）経過後にその可変表示を停止させるようになっている。」（公報第４頁左下欄第６行〜第１１行）、
　「このパチンコ遊技機は、第２図に示す遊技制御回路によって制御される。第２図は、遊技制御回路をブロック構成で示した回路図である。図において、制御回路は、制御中枢としてのマイクロコンピュータ５０を含み、このマイクロコンピュータ５０には、制御動作を所定の手順で実行することのできるＭＰＵ５１と、ＭＰＵ５１の動作プログラムデータを格納するＲＯＭ５２と、必要なデータの書き込み及び読出しができるＲＡＭ５３とを含んでいる。また、マイクロコンピュータ５０には、入出力回路５４、サウンドジェネレータ５５、パワーオンリセット回路５６、クロック発生回路５７、パルス分周回路５８、及びアドレスデコード回路５９を含む。入出力回路５４には、検出回路６０〜６３を介して、始動入賞玉検出器１２、始動通過玉検出器１６、特定入賞玉検出器３９、入賞個数検出器９がそれぞれ接続され、また、ソレノイド駆動回路６４を介してアタッカーソレノイド８及びチューリップソレノイド３４が接続され、７セグメントＬＥＤ駆動回路６５を介して可変表示器４２ａ，４２ｂ、始動入賞個数表示器１４、及び入賞個数表示器４３が接続され、ＬＥＤ駆動回路６６を介して始動通過記憶表示器３５が接続され、」（公報第７頁左下欄第７行〜右下欄第１０行）、
　「入賞球装置３２の左右両側の取付基板３１には、複数（４つ）の始動記憶表示器３５が設けられる。この始動記憶表示器３５は、可変表示器４２ａ，４２ｂの可変動作中や権利発生遊技状態中であるときに、前記通過口１５を通過した玉数を記憶するもので、最高４個まで記憶するようになっている。」（公報第５頁左下欄第１３行〜第１９行）、
　「通過口１５も実施例のように打玉を通過させるものではなく、入賞させるものでも良く、」（公報第１１頁左上欄第５行〜第７行）、
　「始動通過ＳＷチェックカウンタの値が「２」でない場合には、始動通過ＳＷチェックサブルーチンを終了し、「２」である場合には、始動通過記憶カウンタの値が「４」であるか否かが判別される（ステップＳ２７）。始動通過記憶カウンタの値が「４」であるときには、その信号を無効にすべく始動通過ＳＷチェックサブルーチンを終了し、「４」でない場合には、始動通過記憶カウンタの値に「１」を加算する（ステップＳ２８）。」（公報第９頁右下欄第５行〜第１４行）、
が記載されている。
　
（４）本件発明と先願明細書に記載された発明との対比・判断
［本件請求項１に係る発明について］
　本件請求項１に係る発明（前者）と、先願明細書に記載された発明（後者）とを対比すると、後者の「遊技盤１」、「特別通過領域３８」、「通常通過領域４０ａ，４０ｂ」、「特別装置３０」、「可変入賞球装置４」、「始動入賞口１１」、「パチンコ遊技機」、「チューリップソレノイド３４」、「入賞球装置３２」、「可変表示器４２ａ，４２ｂ」、「始動通過玉検出器１６」、「通過口１５」、「ＭＰＵ５１」は、前者の「遊技盤」、「権利入賞口」、「普通入賞口」、「入賞装置」、「大入賞装置」、「始動入賞口」、「パチンコ機」、「駆動源」、「普通電動役物」、「普通図柄表示装置」、「普通図柄始動スイッチ」、「特定入賞手段」、「電気的制御手段」に、夫々相当する。また、先願明細書には、「入賞記憶加算制御手段」という具体的構成は記載されていないが、先願明細書の、「この始動記憶表示器３５は、可変表示器４２ａ，４２ｂの可変動作中や権利発生遊技状態中であるときに、前記通過口１５を通過した玉数を記憶するもので、最高４個まで記憶するようになっている。」（公報第５頁左下欄第１５行〜第１９行）、「制御動作を所定の手順で実行することのできるＭＰＵ５１」（公報第７頁左下欄第１２行〜第１３行）、「始動通過ＳＷチェックカウンタの値が「２」でない場合には、始動通過ＳＷチェックサブルーチンを終了し、「２」である場合には、始動通過記憶カウンタの値が「４」であるか否かが判別される（ステップＳ２７）。始動通過記憶カウンタの値が「４」であるときには、その信号を無効にすべく始動通過ＳＷチェックサブルーチンを終了し、「４」でない場合には、始動通過記憶カウンタの値に「１」を加算する（ステップＳ２８）。」（公報第９頁右下欄第５行〜第１４行）、及び、第２図の記載から、先願明細書には、請求項１に係る発明の「入賞記憶加算制御手段」に実質的に対応する構成が記載されている。
　したがって、両者は、
「遊技盤に、権利入賞口及び普通入賞口を有する入賞装置と、遊技者に不利な第１状態と遊技者に有利な第２状態とに変換可能な大入賞装置と、始動入賞口を少なくとも備えたパチンコ機において、
上記遊技盤には、駆動源の作動により開放状態を創出して遊技者に利益を付与可能な普通電動役物と、図柄を可変表示する普通図柄表示装置と、該普通図柄表示装置の作動条件を創出可能な普通図柄始動スイッチが臨む特定入賞手段を配設し、電気的制御手段により、上記大入賞装置と普通電動役物と普通図柄表示装置と特定入賞手段を相互に関連付け、上記電気的制御手段は特定入賞手段への入賞又は通過を記憶する入賞記憶加算制御手段を備えるパチンコ機。」
である点で一致し、以下の点で相違している。
　本件請求項１に係る発明では、「特定入賞手段への入賞又は通過を記憶する入賞記憶加算制御手段は、少なくとも上記普通電動役物の開放状態中に機能される」構成（以下、「特定事項」という。）を備えるのに対し、先願明細書に記載された発明では、そのような構成を備えていない点。
　そこで、上記相違点について検討する。
　本件請求項１に係る発明は、特許明細書に記載されたとおりの「普通電動役物が開放しているとき、この普通電動役物を作動させるための特定入賞手段の普通図柄始動スイッチのオンを記憶しておき、普通図柄表示装置の変動表示を直ちに開始することがないので、変動表示を確認する必要がない」という作用・効果を奏するための具体化手段として、上記特定事項を備えたものであり、このようなことは、パチンコ機の分野において、本件の出願当時、周知慣用のことではないから、先願明細書に記載された発明との相違点である前記特定事項は、課題解決のための具体化手段における微差（周知技術、慣用技術の付加であって、新たな効果を奏するものではないもの）とは認められない。
　したがって、本件請求項１に係る発明は、先願明細書に記載された発明と同一でない。
　
［本件請求項２に係る発明について］
　本件請求項２に係る発明は、本件請求項１に係る発明を技術的に限定した発明であるから、本件請求項１に係る発明が、先願明細書に記載された発明と同一でない以上、本件請求項２に係る発明も、先願明細書に記載された発明と同一でない。
　
（５）むすび
　以上のとおりであるから、特許異議の申立ての理由及び証拠によっては本件請求項１ないし請求項２に係る発明についての特許を取り消すことはできない。
　また、他に本件請求項１ないし請求項２に係る発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１０月２５日（２０００．１０．２５）